(57)【要約】      （修正有）【課題】照明装置における消費電力を低減する。【解決手段】照明装置は、第１のセンサー２０と、第１のセンサーと異なる第２のセンサー３０と、第２のセンサーのオン／オフを切り替えるスイッチング素子９５と、発光部１３と、制御部１１と、電源部１２とを備え、制御部は、第１のセンサーのセンサー値を取得する第１の制御部７０と、第２のセンサーのセンサー値を取得する第２の制御部６１と、スイッチング素子のオン／オフを制御する第３の制御部６２とを備え、第１の制御部、第２の制御部および第３の制御部はそれぞれ、間欠動作を行うように構成される。【選択図】図２
2016004689.tif 000002
【特許請求の範囲】
【請求項１】
第１のセンサーと、前記第１のセンサーと異なる第２のセンサーと、前記第２のセンサーのオン／オフを切り替えるスイッチング素子と、発光部と、制御部と、電源部とを備え、
前記制御部は、
前記第１のセンサーのセンサー値を取得する第１の制御部と、前記第２のセンサーのセンサー値を取得する第２の制御部と、前記スイッチング素子のオン／オフを制御する第３の制御部とを備え、
前記第１の制御部、前記第２の制御部および前記第３の制御部はそれぞれ、間欠動作を行うように構成された
照明装置。
【請求項２】
前記第１の制御部は、第１の時間間隔でもって起動した後に前記第１のセンサーのセンサー値を取得し、前記センサー値の取得後にスリープ状態になるように構成され、
前記第２の制御部および前記第３の制御部は第２の時間間隔でもって起動し、前記起動後に前記第３の制御部が前記スイッチング素子をオンし、前記第２の制御部が前記第２のセンサー値を取得し、前記センサー値の取得後に前記第２の制御部および前記第３の制御部がスリープ状態になるように構成された
請求項１に記載の照明装置。
【請求項３】
前記第２の時間間隔が前記第１の時間間隔より長く設定された
請求項２に記載の照明装置。
【請求項４】
前記制御部は、前記発光部の点灯／消灯の履歴に応じて、少なくとも前記第１の制御部の間欠動作の頻度を変更するように構成された
請求項１の記載の照明装置。
【請求項５】
前記制御部は、前記第１のセンサーのセンサー値が第１の閾値より大きく、前記第２のセンサーのセンサー値が第２の閾値より大きい場合に、前記発光部を点灯するように構成された
請求項１乃至４のいずれかに記載の照明装置。
【発明の詳細な説明】
【技術分野】
【０００１】
本発明は、例えばＬＥＤ(Light Emitting Diode)を使用した照明装置に関する。
【背景技術】
【０００２】
近年、長寿命であり、且つ、消費電力が少ない等の利点を有するＬＥＤが普及している。例えば、ＬＥＤは、白熱電球や蛍光灯による照明灯に代わる、照明装置として広く使用されている。例えば、下記特許文献１および２には、人を検知する人感センサーとＬＥＤとを組みあわせたＬＥＤ照明装置が記載されている。
【先行技術文献】
【特許文献】
【０００３】
【特許文献１】特開２０１２−１１３９０９号公報
【０００４】
【特許文献２】特開２０１３−０９３１０３号公報
【発明の概要】
【発明が解決しようとする課題】
【０００５】
特許文献１および２に記載されているようなセンサー付きのＬＥＤ照明装置は、消灯中もセンサーが常に動作する必要があるため、消費電力を小さくすることが困難であった。
【０００６】
本発明は、このような点に鑑みなされたもので、例えばセンサー付きのＬＥＤ照明装置の消費電力を小さくすることを目的の一つとする。
【課題を解決するための手段】
【０００７】
上述した課題を解決するために、本発明は、例えば、
第１のセンサーと、第１のセンサーと異なる第２のセンサーと、第２のセンサーのオン／オフを切り替えるスイッチング素子と、発光部と、制御部と、電源部とを備え、
制御部は、
第１のセンサーのセンサー値を取得する第１の制御部と、第２のセンサーのセンサー値を取得する第２の制御部と、スイッチング素子のオン／オフを制御する第３の制御部とを備え、
第１の制御部、第２の制御部および第３の制御部はそれぞれ、間欠動作を行うように構成された
照明装置である。
【発明の効果】
【０００８】
本発明の少なくとも一つの実施形態によれば、例えばセンサー付きのＬＥＤ照明装置における消費電力を小さくすることができる。
【図面の簡単な説明】
【０００９】
【図１】本発明の一実施形態における照明装置の構成を示す図である。
【図２】本発明の一実施形態における制御ブロックの構成を説明するためのブロック図である。
【発明を実施するための形態】
【００１０】
以下、本発明の一実施形態について図面を参照しながら説明する。なお、説明は以下の順序で行う。
＜１．一実施形態＞
＜２．変形例＞
以下に説明する実施形態等は本発明の好適な具体例であり、本発明の内容がこれらの実施形態等に限定されるものではない。
【００１１】
＜１．一実施形態＞
「一実施形態における照明装置について」
本発明の一実施形態における照明装置は、例えば、センサー付きのＬＥＤ照明装置（以下、適宜、ＬＥＤ照明装置と称する）であり、電源として電池（例えば、乾電池）が使用される。電池駆動のＬＥＤ照明装置は、電源配線が不要であるため、設置場所を問わない、設置工事が必要ない等の利便性に優れた商品とすることができる。電池駆動のＬＥＤ照明装置は、屋外等に設置されてもよく、可搬型のものであってもよい。
【００１２】
一方で、商用電源とは異なり電池が電力を供給し続ける能力（電池の寿命）は有限である。ＬＥＤ照明装置の場合は、ＬＥＤが点灯している時間の割合は比較的、小さいものの、ＬＥＤが消灯中である場合にもセンサーが動作している必要がある。このため、ＬＥＤが点灯する時間が小さい割に、電池寿命が短いという問題があった。そこで、ＬＥＤ照明装置の消費電力を小さくし、電池寿命を向上させることが望まれる。詳細は後述するが、本発明では、ＬＥＤ照明装置の消費電力を大幅に小さくすることができ、電池寿命を飛躍的に向上させることができる。
【００１３】
「ＬＥＤ照明装置の構成」
図１は、本発明の一実施形態におけるＬＥＤ照明装置の構成の一例を示す、回路ブロック図である。ＬＥＤ照明装置１は、制御部の一例であるＣＰＵ(Central Processing Unit)１１と、電源部１２と、発光部の一例であるＬＥＤ１３と、抵抗Ｒ１と、スイッチング素１５とを備える。
【００１４】
電源部１２の負極側が接地されており、正極側がＬＥＤ１３のアノード側に接続されている。ＬＥＤ１３のカソード側には、抵抗Ｒ１およびスイッチング素子１５が順次、接続されており、スイッチング素子１５の一端が接地されている。ＣＰＵ１１からスイッチング素子１５に対しては、スイッチング素子１５のオン／オフを制御する制御信号が供給されるように構成されている。
【００１５】
ＣＰＵ１１は、ＬＥＤ照明装置１の各部を制御する。ＣＰＵ１１の待機電流は、例えば、２μＡ（マイクロアンペア）程度である。
【００１６】
電源部１２は、例えば、単三型（ＡＡ型とも称される）乾電池が３個、直列に接続された構成を有する。電源部１２に使用される電池や接続態様は、適宜、変更することができる。電源部１２に２次電池が使用されてもよい。電源部１２の待機電流は、例えば、５μＡ程度である。
【００１７】
電源部１２とＬＥＤ１３との間の接続点Ｐ１に対して、抵抗Ｒ２の一端が接続されている。抵抗Ｒ２の他端がＣＰＵ１１に接続されている。抵抗Ｒ２とＣＰＵ１１との間の接続点Ｐ２に対して、抵抗Ｒ３の一端が接続されている。抵抗Ｒ３の他端が接地されている。抵抗Ｒ２および抵抗Ｒ３により分圧された電源部１２の電圧が、分圧信号としてＣＰＵ１１に入力される。ＣＰＵ１１に入力された分圧信号がアナログ信号からデジタル信号に変換される。変換後のデジタル信号を監視することにより、ＣＰＵ１１は電源部１２の電圧（電池電圧）を取得することができる。
【００１８】
ＬＥＤ１３は、例えば、４個のＬＥＤが並列に接続された構成を有する。ＬＥＤの個数や接続態様は、適宜、変更することができる。抵抗Ｒ１は、ＬＥＤ１３に流れる電流を制限する電流制限抵抗である。抵抗Ｒ１は、例えば、１６Ω（オーム）の抵抗が並列に接続された構成（抵抗値は８Ω）を有する。抵抗Ｒ１の構成は、適宜、変更することができる。抵抗に代わり、定電流ダイオードが使用されてもよい。
【００１９】
スイッチング素子１５は、例えば、Ｎ型のＭＯＳＦＥＴ(Metal Oxide Semiconductor Field Effect Transistor)により構成される。スイッチング素子１５として、トランジスタやＩＧＢＴ(Insulated Gate Bipolar Transistor)が使用されてもよい。
【００２０】
スイッチング素子１５に対してＣＰＵ１１から制御信号が供給される。この制御信号は、例えば、ＰＷＭ(Pulse Width Modulation)制御された信号であり、ＰＷＭ制御信号に応じてスイッチング素子１５がオン／オフする。すなわち、本発明の実施形態では、ＬＥＤ１３はＰＷＭ駆動される。
【００２１】
なお、ＰＷＭ制御信号のデューティー比は、ＣＰＵ１１により設定される。ＣＰＵ１１は、例えば、電源部１２の電池電圧に応じてデューティー比を設定する。例えば、電源部１２の電池電圧が小さい場合にはデューティー比を小さくするＰＷＭ制御がＣＰＵ１１によりなされる。電源部１２の電池電圧が所定以下、もしくは０Ｖ（ボルト）になった場合には、スイッチング素子１５がオフされる。スイッチング動作におけるチャタリングを除去する回路が設けられてもよい。
【００２２】
電源部１２とＬＥＤ１３との間の接続点Ｐ３に対して、消費電力が小さい低消費電力型のＬＤＯ(Low Drop Out)１６が接続されている。ＬＤＯ１６は、電源部１２の電圧から制御電圧Ｖｃｃを生成する。制御電圧Ｖｃｃは、例えば、２．８Ｖ程度である。図示は省略しているが、ＬＥＤ照明装置１は制御電圧ＶｃｃがＬＥＤ照明装置１の各部に対して供給可能なように構成されている。ＬＤＯ１６の自己消費電流は、１μＡ程度である。
【００２３】
ＬＥＤ照明装置１は、さらに、１または複数のセンサーを備える。本発明の実施形態では、ＬＥＤ照明装置１は、第１のセンサーの一例であるＰＩＲ（Passive Infra Red）センサー(赤外線感知センサー)と、第２のセンサーの一例である照度センサーとを備える。
【００２４】
ＰＩＲセンサー２０は、焦電素子を備えるセンサーであり、周囲の物体から放射される赤外線若しくは赤外線の変化を感知する。ＰＩＲセンサー２０は、赤外線を感知することにより、例えば、周囲の人物を検知する。ＰＩＲセンサー２０の待機電流は、１５μＡ程度である。ＰＩＲセンサー２０は、入力段にはＣＰＵ１１が接続され、出力段にはアンプ２１が接続されている。アンプ２１の出力段がＣＰＵ１１に接続されている。
【００２５】
ＰＩＲセンサー２０の電源は、例えば、ＣＰＵ１１を介して供給される。ＰＩＲセンサー２０から出力されたセンサー信号がアンプ２１により増幅される。アンプ２１は、例えば、２個のオペアンプを備え、ＰＩＲセンサー２０から出力されたセンサー信号がアンプ２１により２段増幅される。アンプ２１により増幅されたセンサー信号（アナログ信号）がＣＰＵ１１に入力される。ＣＰＵ１１は、入力されるセンサー信号をデジタル信号に変換し、ＰＩＲセンサー２０により得られるセンサー値を読む。ＣＰＵ１１は、ＰＩＲセンサー２０のセンサー値が所定の閾値を超えた場合に、人がいると判断する。
【００２６】
照度センサー３０は、例えば、フォトダイオード等を備え、周囲の明るさを検出するセンサーである。照度センサー３０の待機電流は、２μＡ程度である。照度センサー３０にはＣＰＵ１１が接続されており、ＣＰＵ１１から照度センサー３０に対して電源が供給されるとともに、照度センサー３０から出力されたセンサー信号がＣＰＵ１１に入力される構成とされている。ＣＰＵ１１は、入力されるセンサー信号をデジタル信号に変換し、照度センサー３０により得られるセンサー値を読む。ＣＰＵ１１は、照度センサー３０のセンサー値が所定の閾値（例えば、５ｌｕｘ（ルクス））より高いか否かに応じて、周囲の明るさが「明」であるか「暗」であるかを判断する。
【００２７】
ＬＥＤ照明装置１は、さらに、スイッチ４０を備える。スイッチ４０は、例えば、スライド操作が可能なスライド式スイッチとされるがこれに限定されるものではない。例えば、ボタン式のスイッチでもよい。スイッチ４０は、入力側の接点４１と出力側の４つの接点（接点４２ａ、接点４２ｂ、接点４２ｃ、接点４２ｄ）とを有し、スイッチ４０をスライドさせることにより、接点４１と４つの接点のいずれかが接続される構成を有している。
【００２８】
スイッチ４０の接続態様に対応付けて、ＬＥＤ照明装置１におけるモードを設定することができる。例えば、接点４１と接点４２ａとが接続される態様には、ＬＥＤ照明装置１が常時、点灯する常灯モードが対応付けられている。例えば、接点４１と、接点４２ｂあるいは接点４２ｃとが接続される態様には、照度センサー３０により周囲が暗く、ＰＩＲセンサー２０により人が検知された場合に、ＬＥＤ１３を点灯させるモードが対応付けられている。なお、照度センサー３０の感度を切り替えるために、例えば、接点４２ｂを高感度とし、接点４２ｃを低感度とし、ＬＥＤ照明装置１の使用環境に適した感度を選択できるように構成されている。接点４２ｄは、ＬＥＤ照明装置１の電源をオフするときに用いられる。
【００２９】
接点４１には制御電圧Ｖｃｃが供給される。接点４２ａは、抵抗Ｒ５を介してＣＰＵ１１に接続され、接点４２ｂは、抵抗Ｒ６を介してＣＰＵ１１に接続され、接点４２ｃは、抵抗Ｒ７を介してＣＰＵ１１に接続されている。抵抗Ｒ５、抵抗Ｒ６および抵抗Ｒ７は、ＣＰＵ１１の同一の入力端子に接続されており、その間の接続点Ｐ５には、一端が接地された抵抗Ｒ８が接続されている。抵抗Ｒ５、抵抗Ｒ６および抵抗Ｒ７の抵抗値を異なるように設定することで、ＣＰＵ１１に入力される電圧値を異なるものとすることができる。なお、接点４１と接点４２ｄとが接続される場合は、ＣＰＵ１１に入力される電圧値は０Ｖになる。
【００３０】
ＣＰＵ１１は、スイッチ４０から入力される電圧値をデジタル信号に変換する。ＣＰＵ１１は、電圧値に応じてスイッチ４０の接点のうちいずれの接点が接点４１と接続されているか否かを識別することができる。換言すれば、ＣＰＵ１１はスイッチ４０からの電圧値により、ＬＥＤ照明装置１に設定されたモードを認識することができる。なお、ＬＥＤ照明装置１のモードは４つのモードに限定されることはなく、それ以上もしくはそれ以下のモード数でもよく、それに対応したスイッチ４０の構成でもよい。
【００３１】
「制御ブロックの構成」
図２は、制御ブロックであるＣＰＵ１１の具体的な構成の一例を説明するための図である。なお、図２において、図１に示した構成と同一の構成については同一の参照符号を付し、重複した説明を省略する。ＣＰＵ１１は、機能ブロックとして、例えば、制御部５０と、制御部６１（第２の制御部の一例）と、制御部６２（第３の制御部の一例）と、制御部７０（第１の制御部の一例）と、演算部８０と、記憶部８１と、カウンター部８２と、タイマー制御部８３とを有する。ＣＰＵ１１における各機能ブロックはバス９０を介して相互に接続されており、相互にデータやコマンドのやりとりが可能とされている。
【００３２】
例えば、制御部６１、制御部６２および制御部７０は間欠動作を行う。間欠動作とは、例えば、所定の時間間隔（間欠動作の間隔）でもって起動し、起動後、所定の処理を行った後にスリープ状態に遷移する動作を意味する。間欠動作の間隔を小さくすることにより、間欠動作の頻度を大きくすることができる。以下、各部について説明する。
【００３３】
制御部５０は、スイッチング素子１５に対して接続されている。制御部５０は、スイッチング素子１５に対してＰＷＭ制御信号を送出することにより、ＬＥＤ１３のオン／オフおよびＬＥＤ１３の明るさを制御する。
【００３４】
制御部６１は照度センサー３０に接続されている。制御部６１は、照度センサー３０のセンサー値を読み取得する。制御部６１は、取得した照度センサー３０のセンサー値を制御部５０に送出する。
【００３５】
照度センサー３０の電源として、制御電圧Ｖｃｃが供給される。図１では図示を省略したが、制御電圧Ｖｃｃの電圧源と照度センサー３０との間にスイッチング素子９５が設けられている。スイッチング素子９５が制御部６２に接続されている。制御部６２によりスイッチング素子９５のオン／オフが制御されることにより、照度センサー３０のオン／オフが制御される。
【００３６】
ＰＩＲセンサー２０の電源として、制御電圧Ｖｃｃが供給される。制御部７０はＰＩＲセンサー２０に接続されている。制御部７０は、ＰＩＲセンサー２０のセンサー値を読み取得する。制御部７０は、取得したＰＩＲセンサー２０のセンサー値を制御部５０に、バス９０を介して送出する。なお、図２では図示を省略しているが、上述したようにＰＩＲセンサー２０から出力されるセンサー信号はアンプ２１により増幅される。制御部７０は、アンプ２１により増幅されたセンサー信号を取得する。
【００３７】
なお、照度センサー３０と異なり、本実施形態では制御電圧Ｖｃｃの電圧源とＰＩＲセンサー２０との間にはスイッチング素子が設けられていない。これは、照度センサー３０は起動後、速やかにセンサー信号が安定するのに対して、ＰＩＲセンサー２０は起動後、センサー信号が安定するために時間を要するため、スイッチング制御を行うのが適切ではないからである。
【００３８】
演算部８０は、例えば、カウンター部８２によるカウント値に応じた制御を実行する。演算部８０による制御の詳細は、後述する。
【００３９】
記憶部８１は、ＲＯＭ(Read Only Memory)やＲＡＭ(Random Access Memory)などを含む。ＲＯＭには、例えば、ＣＰＵ１１により実行されるプログラムが格納されている。ＲＡＭは、例えば、ＣＰＵ１１のワークメモリとして使用され、処理中のデータや読み込まれたセンサー信号が示す値、制御の履歴（例えば、ＬＥＤ１３が点灯／消灯した時刻）などが記憶される。
【００４０】
カウンター部８２は、計時機能を有する。カウンター部８２によりカウントされた値（カウント値）は、ＣＰＵ１１の演算部８０等に送出される。タイマー制御部８３は、計時機能を有するとともに、ＣＰＵ１１における各制御部の動作を制御する。タイマー制御部８３は、所定の周期でもって特定の制御部を起動させるコマンドを送出し、当該制御部を間欠動作させる。
【００４１】
「ＬＥＤ照明装置の動作」
ＬＥＤ照明装置１は、ＬＥＤ１３を常時、点灯させる点灯モードと、ＰＩＲセンサー２０および照度センサー３０のセンサー出力の組合せによってＬＥＤ１３を点灯・消灯させるセンサーモードとを有する。これらのモードは、例えば、スイッチ４０により切り替えることができる。より具体的には、例えば、スイッチ４０により４つのモードを切り替えられる。一つ目のモードは常灯モードであり、二つ目のモードは消灯モードである。残り二つのモードはセンサーモードであり、センサーモードは、照度センサー３０の感度が高い「センサーモード（暗）」と照度センサー３０の感度が低い「センサーモード（明）」とがある。
【００４２】
制御部５０は、ＬＥＤ照明装置１がスイッチ４０が二つのセンサーモードのいずれかであるときには、周囲が暗くて、かつ、人が検知される場合にＬＥＤ１３を点灯させるようにスイッチング素子１５を制御する。周囲が暗いか否かの基準の照度は、例えば、５lux(ルクス)に設定され、例えば、制御部６１から制御部５０に対して送出されるセンサー値が閾値を超えたか否かにより判断することができる。人が検知されたか否かは、例えば、制御部７０から制御部５０に対して送出されるセンサー値が閾値を超えたか否かにより判断することができる。
【００４３】
すなわち、制御部５０は、制御部６１から送られる照度センサー３０のセンサー値が５luxより高く、制御部７０から送られるＰＩＲセンサー２０のセンサー値が閾値より高い場合に、スイッチング素子１５をオンしＬＥＤ１３を点灯させる。
【００４４】
ＬＥＤ照明装置１のモードがセンサーモード（暗）またはセンサーモード（明）のときに、周囲が暗くて、かつ、人が検知された場合に、ＬＥＤ１３が点灯を開始する。ＬＥＤ１３の１回の所定の点灯時間は、例えば、１０秒程度とされる。点灯中に人が検知された場合には、その時点からＬＥＤ１３がさらに１０秒間点灯する。すなわち、ＬＥＤ１３の点灯時間が延長される。点灯中に人が検知されない場合は、ＬＥＤ１３は点灯開始から所定時間経過すると消灯される。
【００４５】
なお、制御部５０は、照度センサー３０のセンサー値を保持する機能を有する。例えば、制御部５０は、間欠的に照度センサー３０のセンサー値を送出している制御部６１から次の照度センサー３０のセンサー値が送出されるまで、直前に送出された照度センサー３０のセンサー値を保持する。同様に、制御部５０は、制御部７０から次のＰＩＲセンサー２０のセンサー値が送出されるまで、直前に送出されたセンサー値を保持する。制御部５０は、保持する２つのセンサー値が上述した所定の条件を満たした場合に、スイッチング素子１５をオンしＬＥＤ１３を点灯させる。
【００４６】
「第１の制御例」
これまで、ＬＥＤ照明装置１の構成および動作の一例について説明した。以下、ＬＥＤ照明装置１における、複数の制御の例について説明する。以下に例示する制御を実行することにより、ＣＰＵ１１等における消費電力を小さくすることができる。これにより電源部１２に用いられている電池の寿命を延ばすことができる。なお、以下に例示する制御は、それぞれが単独でなされてもよく、各制御が組み合わされて実行されてもよい。
【００４７】
第１の制御例は、制御部７０に対する制御の例である。この制御は、ＬＥＤ照明装置１のモードとしてセンサーモードが設定された場合に実行される。待機中は、ＣＰＵ１１が低消費電力モードとなるように制御される。低消費電力モードとは、例えば、タイマー制御部８３のみが動作している状態である。
【００４８】
タイマー制御部８３は、例えば、１０ｍｓ（ミリ秒）毎に制御部７０を起動させるコマンドを送出する。このコマンドに応じて制御部７０は起動し、ＰＩＲセンサー２０のセンサー値を読み、取得する。制御部７０は、取得したＰＩＲセンサー２０のセンサー値を制御部５０に送出する。そして、制御部７０は、自身の動作を停止し（スリープ状態）、これによりＣＰＵ１１は再度、低消費電力モードに移行する。この制御（ＣＰＵの間欠動作）を繰り返すことにより、ＣＰＵ１１の平均消費電力を小さくすることができる。例えば、電力印可後にセンサー信号が安定するまでに時間を要するセンサーを用いた照明装置に、第１の制御は好適である。
【００４９】
「第２の制御例」
第２の制御例は、制御部６１および制御部６２に対する制御の例である。この制御は、ＬＥＤ照明装置１のモードとしてセンサーモードが設定された場合に実行される。待機中は、ＣＰＵ１１が低消費電力モードとなるように制御される。
【００５０】
タイマー制御部８３は、例えば、１秒毎に制御部６１および制御部６２を起動させるコマンドを送出する。このコマンドに応じて制御部６１および制御部６２が起動する。起動した制御部６２はスイッチング素子９５をオンする。スイッチング素子９５がオンすることにより照度センサー３０に制御電圧Ｖｃｃが供給され、照度センサー３０が照度を検出する。制御部６１が照度センサー３０のセンサー値を読み、取得する。制御部６１は、取得した照度センサー３０のセンサー値を制御部５０に送出する。そして、制御部６２は、スイッチング素子９５をオフすることにより照度センサー３０をオフさせ、自身の動作も停止する（スリープ状態）。
【００５１】
また、タイマー制御部８３からのコマンドに応じて起動した制御部６１は、照度センサー３０のセンサー値を読み取得する。制御部６１は、取得した照度センサー３０のセンサー値を制御部５０に送出する。そして、制御部６１は、所定時間後、自身の動作を停止し（スリープ状態）、これによりＣＰＵ１１は再度、低消費電力モードに遷移する。この制御を繰り返すことにより、ＣＰＵ１１の平均消費電力のみならず、センサー回路（例えば、照度センサー３０のセンサー回路）における平均消費電力を小さくすることができる。例えば、電源起動後にセンサー信号が安定するまでに時間を要しないセンサーを用いた照明装置に、第２の制御は好適である。
【００５２】
「第３の制御例」
上述した第１の制御例および第２の制御例は、ＣＰＵ１１における間欠動作の頻度（間隔）を一定としたが、第３の制御例はＬＥＤ１３の点灯／消灯に関する履歴（ログ）を参照して、ＣＰＵ１１における間欠動作の頻度を制御する例である。
【００５３】
カウンター部８２は、電源部１２として例えば、乾電池が装着された時から時刻を計時し、時刻情報を取得する。制御部５０は、センサーモード時にＬＥＤ１３に対して点灯／消灯制御を行った履歴を演算部８０に通知する。演算部８０は、制御部５０より通知されたＬＥＤ１３に対する点灯／消灯制御の履歴を、各制御が行われた時刻情報と対応付けて、記憶部８１に記憶する。なお、上述したように、時刻情報はカウンター部８２により取得することができる。この処理が例えば、数日から数週間繰り返される。これにより、記憶部８１には、ＬＥＤ１３の点灯／消灯に関する履歴が記憶されることになる。
【００５４】
演算部８０は、記憶部８１に記憶されたＬＥＤ１３の点灯／消灯に関する履歴から、ＬＥＤ１３が頻繁に点灯する時間帯を学習する。例えば、時間帯が１８：００〜２２：００である場合には、周囲が暗く人の往来もある程度あるためＬＥＤ１３が頻繁に点灯する履歴が記憶される。そこで演算部８０は、当該時間帯をＬＥＤ１３が頻繁に点灯する時間帯として分類する。一方で、例えば、時間帯が２２：００〜７：００である場合には、周囲は暗いものの人の往来が少ないため、ＬＥＤ１３が稀に点灯する履歴が記憶される。そこで、演算部８０は、当該時間帯をＬＥＤ１３が稀に点灯する時間帯として分類する。さらに、例えば、時間帯が７：００〜１８：００である場合には、周囲が明るいためＬＥＤ１３が点灯した履歴はほとんど記憶されない。そこで、演算部８０は、当該時間帯をＬＥＤ１３が全く点灯しない時間帯として分類する。
【００５５】
例えば、時刻が１８：００を経過すると、カウンター部８２は時間の経過を演算部８０に通知する。通知を受けた演算部８０はタイマー制御部８３に対して、通常の間欠動作頻度を指示する。指示を受けたタイマー制御部８３は、通常の間欠動作の頻度で各制御部を起動させる。第１の制御例で説明したように、タイマー制御部８３は例えば、１０ｍｓ毎に制御部７０を起動させる。また、第２の制御例で説明したように、タイマー制御部８３は例えば、１秒毎に制御部６１および制御部６２を起動させる。
【００５６】
例えば、時刻が２２：００を経過すると、カウンター部８２は時間の経過を演算部８０に通知する。通知を受けた演算部８０はタイマー制御部８３に対して、間欠動作の頻度を通常より下げるように指示する。指示を受けたタイマー制御部８３は、間欠動作の頻度を通常より下げて各制御部を起動させる。一部の制御部のみの間欠動作頻度を変更するようにしてもよい。
【００５７】
例えば、時刻が７：００を経過すると、カウンター部８２は時間の経過を演算部８０に通知する。通知を受けた演算部８０はタイマー制御部８３に対して、間欠動作の頻度を通常より大幅に下げるように指示する。指示を受けたタイマー制御部８３は、間欠動作の頻度を通常より大幅に下げて各制御部を起動させる。７：００〜１８：００の時間帯では各センサーによるセンシングを停止してもよい。しかしながら、例えば、雨等で周囲が想定以上に暗くなる場合もあるため、頻度を通常より大幅に下げても間欠動作を行うことが好ましい。以上の第３の制御を行うことによりＣＰＵ１１の１日平均の消費電力を抑制することができる。例えば、昼間に点灯する必要がない、明るさセンサー付の人感センサー付ライトに対して第３の制御は好適である。
【００５８】
＜２．変形例＞
以上、本発明の実施形態について具体的に説明したが、本発明は、上述の実施形態に限定されるものではなく、本発明の技術的思想に基づく各種の変形が可能である。
【００５９】
例えば、ＬＥＤ照明装置１が常灯モードのときには、センサーに対応した構成（制御部６１、制御部６２、制御部７０、タイマー制御部８３等）の動作を停止し、制御部５０のみを動作させるようにしてもよい。また、制御部６１および制御部６２が同一の機能ブロックとして構成されてもよい。
【００６０】
センサーはＰＩＲセンサーおよび照度センサーを例にして説明したが、これと異なるセンサーを適用することもできる。ＬＥＤと異なる発光体が使用されてもよい。
【００６１】
本発明は、装置に限らず、方法、プログラム、システム等により実現することができる。プログラムは、例えば、ネットワークを介して、若しくは、光ディスクや半導体メモリ等の可搬型のメモリを介してユーザに提供し得る。
【符号の説明】
【００６２】
１      ＬＥＤ照明装置
１１    ＣＰＵ
１２    電源部
１３    ＬＥＤ
２０    ＰＩＲセンサー
３０    照度センサー
５０，６１，６２，７０    制御部
９５    スイッチング素子
【図１】
2016004689.tif 000003
【図２】
2016004689.tif 000004